(57)【要約】      （修正有）【課題】衣装のつり掛け、取り出し、視認がより簡単に行える洋服ハンガーラックの継ぎ手とその洋服ハンガーラックを提供する。【解決手段】洋服ハンガーラックの継ぎ手は、垂直して下向きに縦棒の接続穴１１を設ける継ぎ手本体１０と継ぎ手本体１０水平の前後方向に高低の段差をつけて設ける２つの横棒の接続穴１２，１３と、を備える。２つの横棒の接続穴は高低段差をつけて洋服ハンガーラックに組み立てた後、２つの横棒の組み付けに提供し、より多くの衣類をつり掛けることができるほか、２つの横棒が高低段差をつけており、つり掛けの重心が中央付近部で釣り合いを形成し、衣類のつり掛けと取り出しが便利に行えるほか、衣類が上下した段差状態につり掛けられているため、使用者は簡単に衣類を見分けることができる。【選択図】図２
0003187149.tif 000002
【実用新案登録請求の範囲】
【請求項１】
垂直して下向きに縦棒の接続穴を設ける継ぎ手本体と、前記継ぎ手本体水平の前後方向に高低の段差をつけて設ける２つの横棒の接続穴と、を備えることを特徴とする洋服ハンガーラックの継ぎ手。
【請求項２】
前記縦棒の接続穴と前記２つの横棒の接続穴はブッシング状を形成していて、前記２つの横棒の接続穴に備えるブッシングの末端部は上向きにストッパーを凸設されていることを特徴とする、請求項１記載の洋服ハンガーラックの継ぎ手。
【請求項３】
前記継ぎ手本体の内部に複数の肋材を設けられ、くり抜き状態を形成することを特徴とする、請求項１記載の洋服ハンガーラックの継ぎ手。
【請求項４】
洋服ハンガーラックであって、
垂直に下向きの縦棒の接続穴と、水平に前後方向に高低段差をつけて設ける２つの横棒の接続穴とを釣り合って設ける２つの継ぎ手本体と、
ベースと、２つの上向きの縦棒とを有し、前記２つの縦棒は前記２つの継ぎ手本体の前記縦棒の接続穴に組み付ける洋服ハンガーラックの本体と、
それぞれ前記２つの継ぎ手本体に前記２つの横棒の接続穴に組み付ける２つの横棒と、を備える。
【考案の詳細な説明】
【技術分野】
【０００１】
本案は洋服ハンガーラックに関し、特に洋服ハンガーラックの継ぎ手に垂直方向の縦棒の接続穴と前後方向２つの横棒の接続穴とを設けていて、２つの横棒の接続穴が高低段差をつけて設けられ、この構成を洋服ハンガーラックに組み立てた後には、より多くの衣類をつり掛けられるほか、つり掛けの重心が中央付近部で釣り合っているため、衣類のつり掛け、取り出し、視認がより簡単に行える。
【背景技術】
【０００２】
洋服ハンガーラック製品は移動便利、しかも大量な衣類をつり掛けられるため、消費者の受け入れ度は高く、家庭、売り場、店舗などに使用しており、多くの人々に好まれている。
【考案の概要】
【考案が解決しようとする課題】
【０００３】
しかし、公知の洋服ハンガーラックはほとんど１本と２本の棒材のタイプに分けられ、２本棒材の洋服ハンガーラックの多くは２組の１本棒材を前後に配列し組み立てる構成のため、２組の縦棒と前後に配列していた垂直設置の縦棒との間に、補強するための結合具を設置しなければならず、製造コスト高のほか、スペースを多く取るという欠点がある。
【課題を解決するための手段】
【０００４】
本案の主な目的は、継ぎ手本体を有し、垂直の下方に縦棒の接続穴を設けられ、水平の前後方向に向かって２つの横棒の接続穴が高低段差をつけて設ける洋服ハンガーラックの継ぎ手を提供する。
【０００５】
本案もう一つの目的は、釣り合って設けられ、それぞれ垂直に下向きの縦棒の接続穴と、それぞれ高低段差をつけて、水平に前後方向に設ける２つの横棒の接続穴とを有する２つの継ぎ手本体と、ベースと、２つの継ぎ手本体に備える縦棒の接続穴に組み付けられ、それぞれ垂直して上向きに設ける２つの縦棒とを有する洋服ハンガーラック本体と、２つの継ぎ手本体に備える２つの横棒の接続穴に組み付ける２つの横棒と、を備える洋服ハンガーラックを提供する。
【考案の効果】
【０００６】
前述構成品により組みたてられた洋服ハンガーラックは、２つの継ぎ手本体にて水平に前後方向向き２つの横棒の接続穴を有し、２つの横棒の組み付けに用いて、より多くの衣類をつり掛けられるほか、２つの横棒の接続穴が高低段差をつけて、２つの横棒のつり掛け重心が中央付近部で釣り合っており、衣類のつり掛けと取り出しが便利のほか、衣類を上下に段差をつけた状態でつり掛けられているため、使用者が容易に衣類を視認できる。
【図面の簡単な説明】
【０００７】
【図１】本案の一実施例の立体前面図である。
【図２】本案の一実施例の下面図である。
【図３】本案の一実施例の側面図である。
【図４】本案の実施例による洋服ハンガーラックの立体分解図である。
【図５】本案の洋服ハンガーラックの実施例による立体図である。
【図６】本案の洋服ハンガーラックに複数の衣類をつり掛けた実施態様図である。
【考案を実施するための形態】
【実施例】
【０００８】
図１〜３、本案の洋服ハンガーラックの継ぎ手を参照する。
【０００９】
継ぎ手本体１０を有し、継ぎ手本体１０は垂直に下向きに縦棒の接続穴１１を有し、継ぎ手本体１０は水平の前後方向に２つの横棒の接続穴１２、１３を有し、２つの横棒の接続穴１２、１３は段差をつけて設けられている。
【００１０】
前述の洋服ハンガーラック継ぎ手の縦棒の接続穴１１と２つの横棒の接続穴１２、１３はブッシング１１１、１２１、１３１状を形成しており、そのうち、２つの横棒の接続穴１２、１３のブッシング１２１、１３１末端部は上向きにストッパー１２２、１３２を凸設され、末端部は衣類のつり掛けに用いられる。
前述の洋服ハンガーラック継ぎ手の継ぎ手本体１０は、内部に複数の肋材１４を配置し、くり抜き状を形成する。複数の肋材１４設計により、部材を少なくすると共に重量を軽減でき、強度の補強ができる。
【００１１】
図４〜６、本案の洋服ハンガーラックを参照する。
垂直に下向きの縦棒の接続穴１１と、水平に前後方向に高低段差をつけて設ける２つの横棒の接続穴１２、１３とを釣り合って設ける２つの継ぎ手本体１０ａ、１０ｂと、
【００１２】
ベース２１と、２つの上向きの縦棒２２とを有し、２つの縦棒２２は２つの継ぎ手本体１０ａ、１０ｂに備える２つの縦棒の接続穴１１に組み付ける洋服ハンガーラック２０の本体と、
【００１３】
それぞれ２つの継ぎ手本体１０ａ、１０ｂに備える２つの横棒の接続穴１２、１３に組み付ける２つの横棒２３、２４と、を備える。
【００１４】
前述構成品より組みたてた洋服ハンガーラックは、２つの継ぎ手本体１０ａ、１０ｂにて水平に前後方向向き２つの横棒の接続穴１２、１３を有し、２つの横棒２３、２４の組み付けに提供して、より多くの衣類３０をつり掛けできるほか、２つの横棒の接続穴１２、１３が高低段差をつけて設けられ、２つの横棒２３、２４つり掛けの重心が中央付近部に釣り合っていて、衣類３０のつり掛けと取り出しが便利のほか、衣類３０を上下の段差でつり掛けられているため、使用者が容易に衣類３０を視認できる。
【符号の説明】
【００１５】
１０        継ぎ手本体
１０ａ    継ぎ手本体
１０ｂ    継ぎ手本体
１１        縦棒の接続穴
１１１    ブッシング
１２        横棒の接続穴
１２１    ブッシング
１２２    突き出しストッパー
１３        横棒の接続穴
１３１    ブッシング
１３２    突き出しストッパー
１４        肋材
２０        洋服ハンガーラックの本体
２１        ベース
２２        縦棒
２３        横棒
２４        横棒
３０        衣類
【図１】
0003187149.tif 000003
【図２】
0003187149.tif 000004
【図３】
0003187149.tif 000005
【図４】
0003187149.tif 000006
【図５】
0003187149.tif 000007
【図６】
0003187149.tif 000008
【手続補正書】
【提出日】平成25年9月12日(2013.9.12)
【手続補正１】
【補正対象書類名】実用新案登録請求の範囲
【補正対象項目名】全文
【補正方法】変更
【補正の内容】
【実用新案登録請求の範囲】
【請求項１】
垂直して下向きに縦棒の接続穴を設ける継ぎ手本体と、前記継ぎ手本体水平の前後方向に高低の段差をつけて設ける２つの横棒の接続穴と、を備えることを特徴とする洋服ハンガーラックの継ぎ手。
【請求項２】
前記縦棒の接続穴と前記２つの横棒の接続穴はブッシング状を形成していて、前記２つの横棒の接続穴に備えるブッシングの末端部は上向きにストッパーを凸設されていることを特徴とする、請求項１記載の洋服ハンガーラックの継ぎ手。
【請求項３】
前記継ぎ手本体の内部に複数の肋材を設けられ、くり抜き状態を形成することを特徴とする、請求項１記載の洋服ハンガーラックの継ぎ手。
【請求項４】
洋服ハンガーラックであって、
垂直に下向きの縦棒の接続穴と、水平に前後方向に高低段差をつけて設ける２つの横棒の接続穴とを釣り合って設ける２つの継ぎ手本体と、
ベースと、２つの上向きの縦棒とを有し、前記２つの縦棒は前記２つの継ぎ手本体の前記縦棒の接続穴に組み付ける洋服ハンガーラックの本体と、
それぞれ前記２つの継ぎ手本体に前記２つの横棒の接続穴に組み付ける２つの横棒と、を備える洋服ハンガーラック。